(57)【要約】【課題】出力電圧よりも大きな外部電圧が印加されても、所定の一定した電圧を安定して出力することができる電源装置を提供すること。【解決手段】高圧電源装置３００の出力端子Ａから４００Ｖの定電圧が出力され、感光体８の表面電位が０〜４００Ｖの範囲で変化する場合、ＦＥＴ３０１のゲート電圧がソース電圧よりも高くなりＦＥＴ３０１がＯＦＦする。この場合は、出力端子Ａから現像ローラ４に一定した出力電圧が供給される。一方、感光体表面電位が１０００Ｖとなり出力電圧を越えた場合、ゲート電圧がよりもソース電圧が高くなりＦＥＴ３０１がＯＮする。この場合は、現像ローラ４に感光体８から印加される外部電圧が、現像ローラ４、ソースＳ、ドレインＤ、抵抗Ｒ６を通じてＧＮＤへ流れる。これにより、高圧電源装置３００の出力電圧が急激に４００Ｖに向かって減少するようになる。【選択図】　図１
2004038098.tif 000002
【特許請求の範囲】
【請求項１】
電圧出力対象部材に対して出力端子から所定の電圧を出力する電源装置であって、
上記出力端子から出力される出力電圧よりも大きい電圧が外部から該電圧出力対象部材に印加された際に、外部から印加された外部電圧と上記出力端子から出力される出力電圧との電圧差に基づいて上記出力端子とグランドとの間の出力インピーダンスを低下させて、該電位差に応じた電流をグランドに逃がす出力中継回路を、該電圧出力対象部材と該出力端子との間に設けたことを特徴とする電源装置。
【請求項２】
電圧出力対象部材に対して出力端子から所定の電圧を出力する電源装置であって、
上記出力端子から出力される出力電圧よりも大きい電圧が外部から該電圧出力対象部材に印加された際に、外部から印加された外部電圧と上記出力端子から出力される出力電圧との電位差をＦＥＴのゲートとソースとの間に印加し、該電位差に応じた電流を該ＦＥＴのドレーンを通じてグランドに流すことで、上記出力電圧を所定の電圧にする出力中継回路を、該電圧出力対象部材と該出力端子との間に設けたことを特徴とする電源装置。
【請求項３】
現像剤を担持して搬送する現像剤担持体と、該現像剤担持体に対して現像バイアスを印加するための高圧電源装置とを有する現像装置において、
上記高圧電源装置として、請求項２の電源装置を使用し、
上記出力中継回路は、該電源装置の出力端子を上記ＦＥＴのゲートに接続し、該ＦＥＴのソースと上記現像剤担持体とを接続し、該ＦＥＴのゲートとソースとの間に抵抗を挿入し、該ＦＥＴのドレーンとグランドとを接続して構成されていることを特徴とする現像装置。
【請求項４】
電圧出力対象部材に対して出力端子から所定の電圧を出力する電源装置であって、
上記出力端子から出力される出力電圧よりも大きい電圧が外部から該電圧出力対象部材に印加された際に、外部から印加された外部電圧と上記出力端子から出力される出力電圧とをバイポーラ・トランジスタのベースとエミッタとの間に印加し、該出力電圧と外部電圧との電圧差に応じた電流を該バイポーラ・トランジスタのコレクタを通じてグランドに流すことで、上記出力電圧を所定の電圧にする出力中継回路を、該電圧出力対象部材と該出力端子との間に設けたことを特徴とする電源装置。
【請求項５】
現像剤を担持して搬送する現像剤担持体と、該現像剤担持体に対して現像バイアスを印加するための高圧電源装置とを有する現像装置において、
上記高圧電源装置として、請求項４の電源装置を使用し、
上記出力中継回路は、該電源装置の出力端子を上記バイポーラ・トランジスタのベースに接続し、該バイポーラ・トランジスタのエミッタと上記現像剤担持体とを接続し、該バイポーラ・トランジスタのベースのベースとエミッタとの間に抵抗を挿入し、該バイポーラ・トランジスタのコレクタとグランドとを接続して構成されていることを特徴とする現像装置。
【請求項６】
像担持体と、該像担持体上に静電潜像を形成するための潜像形成手段と、該潜像形成手段により該像担持体上に形成された静電潜像を現像剤で現像する現像手段とを有する画像形成装置において、
上記現像手段として、請求項３又は５の現像装置を用いることを特徴とする画像形成装置。
【発明の詳細な説明】
【０００１】
【発明の属する技術分野】
本発明は、出力端子から所定の電圧を出力する電源装置に関するものである。詳しくは、例えば複写機、プリンタ、ファクシミリ等の画像形成装置における現像装置の現像剤担持体に現像バイアスを印加するための高圧電源装置として用いることができる電源装置に関するものである。
【０００２】
【従来の技術】
電子写真方式の画像形成装置においては、例えば、像担持体としての感光体上に原稿画像の静電潜像が形成される。一方、この感光体上に形成された静電潜像を現像（可視像化）するための現像剤が、現像剤担持体としての現像ローラにより担持されて、上記感光体と現像ローラとが対向する現像領域に搬送される。そして、この現像領域において、現像ローラ上に担持されている現像剤中のトナーが感光体上の静電潜像に付着することにより、感光体上にトナー像が形成される。
【０００３】
この種の画像形成装置では、一般に、上記感光体上の静電潜像を上記現像剤で現像する際に、感光体表面の帯電電位と同極性の現像バイアスを上記現像ローラに印加するようにしている。これは、現像ローラに現像バイアスを印加して上記現像領域に現像電界を形成し、この現像領域での上記静電潜像へのトナーの付着量をコントロールして画像のカブリを防止するためである。つまり、上記静電潜像へのトナーの付着量は、現像領域において現像ローラから感光体へ移動するトナーの移動速度に応じて変化する。また、このトナーの移動速度は、上記現像領域に形成される現像電界の電界強度に応じて変化する。従って、上記現像バイアスによって上記現像電界の電界強度を制御することで、上記静電潜像へのトナーの付着量をコントロールして画像のカブリを防止できるようになる。
このような現像ローラに現像バイアスを印加するための電源装置として、例えば、特開平１０−２８３２８号公報の「高電圧発生装置」では、現像高圧発生回路を有する高圧電源装置を用いている。
【０００４】
ところで、この種の高圧電源装置においては、その出力電圧が変動して、現像ローラに印加される現像バイアスにバラツキが生じると、上記現像領域に形成される現像電界の電界強度がばらついてしまう。そして、この現像電界の電界強度のばらつきにより、上記現像領域におけるトナーの移動速度がばらつくようになる。この結果、上記静電潜像へのトナーの付着量にバラツキが生じて、感光体上に形成されるトナー像に画像ムラが発生してしまう。従って、この種の高圧電源装置は、上記現像ローラに対して一定の電位の現像バイアスを安定して印加できるものであることが望ましい。
【０００５】
【発明が解決しようとする課題】
ところが、前記従来の高圧電源装置においては、その出力電圧が急激に低下して、上記現像ローラに対して一定の電位の現像バイアスを安定して印加できなくなることがあった。そこで、本発明者は、その原因を調べた結果、上記感光体の表面電位が高圧電源装置の出力電圧に影響を及ぼしていることが判った。すなわち、前記画像形成装置における感光体の表面電位は、感光体上に形成された静電潜像に応じて、およそ１０００ボルト程度変化している。このため、このような画像形成装置においては、その感光体の表面電位が、上記高圧電源装置から現像ローラに印加される現像バイアスよりも高くなることがある。そして、感光体の表面電位が現像バイアスよりも高くなると、感光体から現像ローラに対して、現像バイアスよりも大きな電圧が印加されてしまうことがある。この原因としては、上記現像領域での感光体と現像ローラとのギャップ（現像ギャップ）が極めて小さく、感光体と現像ローラとが電気的に短絡されることによるものと考えられる。なお、このような感光体と現像ローラとの電気的な短絡は、上記現像剤として液体現像剤を使用している場合に上述の現象が顕著となることから、上記現像ギャップに介在している現像剤が少なからず影響を与えているものと思われる。
【０００６】
上述のように、上記感光体から現像ローラに対して現像バイアスよりも大きな電圧が印加されると、高圧電源装置の本来の定電圧特性が失われて出力電圧が変動してしまう。このため、上記従来の高圧電源装置では、上記現像ローラに対して印加する出力電圧が上記感光体の表面電位の影響を受け易く、現像ローラに印加される現像バイアスにバラツキが生じてしまうという問題があった。なお、ここでは、電源装置として現像ローラに現像バイアスを印加する高圧電源装置を例示したが、外部電圧により本来の出力電圧が失われて出力電圧が変動するという問題は、この種の電源装置に共通の問題といえる。
【０００７】
本発明は以上の問題点に鑑みなされたものであり、その目的とするところは、出力電圧よりも大きな外部電圧が印加されても、所定の一定した電圧を安定して出力することができる電源装置を提供することである。
【０００８】
【課題を解決するための手段】
上記目的を達成するために、請求項１の発明は、電圧出力対象部材に対して出力端子から所定の電圧を出力する電源装置であって、上記出力端子から出力される出力電圧よりも大きい電圧が外部から該電圧出力対象部材に印加された際に、外部から印加された外部電圧と上記出力端子から出力される出力電圧との電圧差に基づいて上記出力端子とグランドとの間の出力インピーダンスを低下させて、該電位差に応じた電流をグランドに逃がす出力中継回路を、該電圧出力対象部材と該出力端子との間に設けたことを特徴とするものである。
この電源装置においては、出力端子から出力される出力電圧よりも大きい電圧が外部から電圧出力対象部材に印加された際に、外部電圧と出力電圧との電圧差に基づいて、出力端子とグランドとの間の出力インピーダンスが低下される。これにより、上記出力中継回路の出力端子からグランドに逃がす電流量が増加する。従って、この電源装置においては、電圧出力対象部材に対して出力電圧よりも大きい外部電圧が印加された場合であっても、その定電圧特性を維持できるようになる。
請求項２の発明は、電圧出力対象部材に対して出力端子から所定の電圧を出力する電源装置であって、上記出力端子から出力される出力電圧よりも大きい電圧が外部から該電圧出力対象部材に印加された際に、外部から印加された外部電圧と上記出力端子から出力される出力電圧との電位差をＦＥＴのゲートとソースとの間に印加し、該電位差に応じた電流を該ＦＥＴのドレーンを通じてグランドに流すことで、上記出力電圧を所定の電圧にする出力中継回路を、該電圧出力対象部材と該出力端子との間に設けたことを特徴とするものである。
請求項３の発明は、現像剤を担持して搬送する現像剤担持体と、該現像剤担持体に対して現像バイアスを印加するための高圧電源装置とを有する現像装置において、上記高圧電源装置として、請求項２の電源装置を使用し、上記出力中継回路は、該電源装置の出力端子を上記ＦＥＴのゲートに接続し、該ＦＥＴのソースと上記現像剤担持体とを接続し、該ＦＥＴのゲートとソースとの間に抵抗を挿入し、該ＦＥＴのドレーンとグランドとを接続して構成されていることを特徴とするものである。
請求項４の発明は、電圧出力対象部材に対して出力端子から所定の電圧を出力する電源装置であって、上記出力端子から出力される出力電圧よりも大きい電圧が外部から該電圧出力対象部材に印加された際に、外部から印加された外部電圧と上記出力端子から出力される出力電圧とをバイポーラ・トランジスタのベースとエミッタとの間に印加し、該出力電圧と外部電圧との電圧差に応じた電流を該バイポーラ・トランジスタのコレクタを通じてグランドに流すことで、上記出力電圧を所定の電圧にする出力中継回路を、該電圧出力対象部材と該出力端子との間に設けたことを特徴とするものである。
請求項５の発明は、現像剤を担持して搬送する現像剤担持体と、該現像剤担持体に対して現像バイアスを印加するための高圧電源装置とを有する現像装置において、
上記高圧電源装置として、請求項４の電源装置を使用し、上記出力中継回路は、該電源装置の出力端子を上記バイポーラ・トランジスタのベースに接続し、該バイポーラ・トランジスタのエミッタと上記現像剤担持体とを接続し、該バイポーラ・トランジスタのベースのベースとエミッタとの間に抵抗を挿入し、該バイポーラ・トランジスタのコレクタとグランドとを接続して構成されていることを特徴とするものである。
請求項６の発明は、像担持体と、該像担持体上に静電潜像を形成するための潜像形成手段と、該潜像形成手段により該像担持体上に形成された静電潜像を現像剤で現像する現像手段とを有する画像形成装置において、上記現像手段として、請求項３又は５の現像装置を用いることを特徴とするものである。
【０００９】
【発明の実施の形態】
以下、本発明が適用される高圧電源装置、及びこの高圧電源装置を搭載した画像形成装置について説明する。図１に、後述する各実施形態に共通した構成を有する画像形成装置の一例を示す。
図１において、液体現像剤１は、図示しない濃度調整部において剤濃度（トナー濃度）が調整された後、現像ユニット２の現像液タンク３の底方の現像液貯留部３ａに、図示しない現像液補給口を通して流入されて貯留される。この現像液貯留部３ａに貯留される液体現像剤１の液量は、その消費分に相当する量の補給用現像液が、図示しない現像液補給ボトルより随時補給されることによりほぼ一定に保たれるようになっている。
【００１０】
上記現像ユニット２の現像液タンク３内には、現像ローラ４、及び、現像ローラ４に液体現像剤１を塗布しながら供給する塗布ローラ５が、それぞれ回転自在に配設されている。塗布ローラ５は、現像液貯留部３ａに貯留された液体現像剤１中に、その外周面の一部が浸かるように配置されている。また、塗布ローラ５は、図示しない塗布ローラモータにより、図１において矢印方向に回転駆動される。この塗布ローラ５の回転によって、塗布ローラ５の回転速度及び液体現像剤１の粘度等に依存した条件で、現像液貯留部３ａに貯留された液体現像剤１が、塗布ローラ５の周面に付着されて汲み上げられる。
【００１１】
この塗布ローラ５により汲み上げられた液体現像剤１は、塗布ローラ５に接触または近接する計量部材または規制部材６で、狙いの塗布厚に調整された後、現像ローラ４の周面に薄層状に塗布される。これにより、現像ローラ４の表面に、所定の層厚の現像剤薄層が形成される。この現像剤薄層の層厚は、感光体８に付着するトナー固形分が記録媒体である転写紙１３に転写された際に、充分な画像濃度が得られる層厚に形成される。
【００１２】
また、上記塗布ローラ５により汲み上げられ、現像ローラ４に塗布されなかった余剰の液体現像剤１は、塗布ローラ５の周面に接するように配置された規制部材６により掻き落とされて、現像液貯留部３ａに戻される。このようにして、現像液タンク３内における液体現像剤１の循環と、現像液貯留部３ａに貯留された液体現像剤１の現像ローラ４への供給が行われる。
【００１３】
上記現像ローラ４は、感光体８の表面に近接するように対向配置されることによって、感光体８との対向部位に現像領域を形成している。感光体８は、図示しない駆動系を介して、図１において矢印方向に所定の速度で回転駆動され、帯電ローラ９により、表面に一様な電位の電荷が帯電される。そして、この帯電された感光体８の表面に、露光装置１０を介して、画像形成される画像パターンが露光される。これにより、感光体８の表面に画像パターンに応じた静電潜像が形成される。
【００１４】
上記現像ローラ４は、感光体８の線速と同速で、図１において矢印方向に移動する。そして、この現像ローラ４の移動により、現像ローラ４の表面に形成された現像剤薄層が上記現像領域において感光体８の表面に接触する。これにより、現像剤薄層中に含まれたトナー固形分が、感光体８の表面に形成された静電潜像に付着する。これにより、感光体８の表面に形成された静電潜像が、現像剤薄層中のトナー固形分により顕像化されて、感光体８の表面にトナー像が形成される。このとき、感光体８の表面の非画像部に位置して感光体８に付着することなく現像領域を通過した余剰の現像剤薄層は、現像ローラクリーニングブレード１１により現像ローラ４上から掻き落とされて、現像液貯留部３ａに回収される。
【００１５】
このようにしてトナー像が形成されると、感光体８の回転に同期し且つ所定のタイミングをとって、給紙カセット１２内の転写紙１３が、給紙ローラ１４及び分離ローラ１５の回転により、転写領域に向けて一枚だけ給紙される。この転写領域は、感光体８の表面に対して接離自在に配設された転写ローラ１６と感光体８とのニップで形成されている。そして、上記ニップを転写紙１３が通過することにより、上記転写領域の電界の作用によって、感光体８の表面に顕像化されたトナー像が転写紙１３上に転写される。そして、転写紙１３に転写されたトナー像が定着装置１７により定着された後、転写紙１３は、図示しない排紙ローラにより排紙トレイ上に排紙される。なお、上記転写領域において転写紙１３に転写されることなく感光体８の表面に残留したトナー像は、感光体クリーニングブレード２０により掻き落とされて、感光体クリーニング装置２１内に回収される。
【００１６】
ここで、上記現像ローラ４には、高圧電源装置１００により所定の電圧の現像バイアスが印加されるようになっている。この高圧電源装置１００の一例を図８に示す。この高圧電源装置１００は、図８に示すように、定電圧制御を行う定電圧制御回路１０１、直流高圧用のトランス１０２、整流用のコンデンサ１０３及びダイオード１０４などを有している。
この高圧電源装置１００は、その出力端子Ａに接続された電圧出力対象部材としての現像ローラ４に対して、（＋）極性の現像バイアスを印加するように構成されている。この現像ローラ４への（＋）極性の現像バイアスの印加により、上記感光体８の表面に形成された静電潜像が、現像ローラ４の表面に担持されて搬送される現像剤としての（−）極性のトナーにより現像される。
この高圧電源装置１００の動作を、具体的な数値をあげて説明する。但し、ここであげる数値はあくまでも説明のしやすさのためのおよその値であり、その値に限定されるものではない。
図８において、高圧電源装置１００の出力端子Ａには、４００Ｖの定電圧が出力されている。このとき、現像ローラ４自体の抵抗は小さいので無視して考える。感光体８の表面電位が０〜４００Ｖの範囲で変化しても、高圧電源装置１００の出力端子Ａの電圧は４００Ｖにコントロールされる。
ところが、感光体８の表面電位が４００Ｖを越えて、例えば１０００Ｖとなった場合、現像ローラ４に対して、感光体８から１０００Ｖの電圧が印加されることがある。この場合には、高圧電源装置１００の出力端子Ａに印加される外部電圧１０００Ｖの方が、出力電圧４００Ｖよりも６００Ｖも高くなり、出力端子Ａから流れ出す電流は「０」になる。このとき、定電圧制御回路１０１は、フィードバックされた電圧から、９９．９Ｍの抵抗Ｒ１と、１００ＫΩの抵抗Ｒ２とで分圧した電圧を、十分電圧が高いと判断する。この結果、定電圧制御回路１０１は、その出力電圧を低下させるべくトランス１０２に流す電流を低下させる。しかし、この定電圧制御回路１０１からの電流の供給を仮に「０」にしても、ダイオード１０４が有るため、感光体８から印加された１０００Ｖの電荷は、トランス１０２を通ってグランドＧＮＤへ逃げることができない。従って、この感光体８から印加された１０００Ｖの電荷は、現像ローラ４、出力端子Ａ、７．５Ｍの抵抗Ｒ３の経路を経てグランドＧＮＤに逃げることになる。しかしながら、この抵抗Ｒ３の抵抗値は非常に高いため、感光体８から印加された１０００Ｖの電荷はグランドＧＮＤに逃げにくい。
【００１７】
ここでは、トナーの極性が（−）、現像バイアスの極性が（＋）の場合について説明したが、これらの極性は逆であってもよい。この場合には、図９に示す高圧電源装置２００を用いることができる。つまり、この高圧電源装置２００は、その出力端子Ａに接続された上記電圧出力対象部材としての現像ローラ４に対して、（−）極性の現像バイアスを印加するように構成されている。この現像ローラ４への（−）極性の現像バイアスの印加により、上記感光体８の表面に形成された静電潜像が、現像ローラ４の表面に担持されて搬送される（＋）極性のトナーにより現像される。
【００１８】
上述のように、上記高圧電源装置１００，２００では、上記感光体８の表面電位の影響を受け易く、上記現像ローラ４に印加する現像バイアスにバラツキが発生してしまうという問題があった。
【００１９】
上記問題は、以下に説明する各実施形態に係る高圧電源装置を用いることにより解決することができる。なお、以下の各実施形態に係る高圧電源装置の各構成要素のうち、図８に示した高圧電源装置１００、及び図９に示した高圧電源装置２００の各構成要素と同等の構成及び機能を有するものには、この高圧電源装置１００，２００の各構成要素に付した符号と同符号を付してその説明を省略する。
【００２０】
（実施形態１）
実施形態１に係る高圧電源装置は、上記高圧電源装置１００の構成に加えて、以下の特徴を有する。図２に、本実施形態１に係る高圧電源装置３００の構成を示す。図２に示す高圧電源装置３００は、その出力端子Ａ，Ｂと上記現像ローラ４との間に、外部電圧をグランドに逃すための出力中継回路３００Ａを追加したものである。この出力中継回路３００Ａは、実際には、高圧電源装置３００の内部に組み込まれる。この出力中継回路３００Ａは、ＦＥＴ３０１を有している。ここでは、ＦＥＴ３０１として、ｎチャンネルＭＯＳ−ＦＥＴを使用している。
上記出力中継回路３００Ａの動作について説明する。図２において、高圧電源装置３００の出力端子Ａには４００Ｖの定電圧が出力されている。まず、感光体８の表面電位が０〜４００Ｖの範囲で変化している場合について説明する。この場合には、高圧電源装置３００の電流の経路が、出力端子Ａ、１ＫΩの抵抗Ｒ４、１０ＫΩの抵抗Ｒ５、現像ローラ４、感光体８、グランドＧＮＤ、出力端子Ｂの順となる。また、この場合には、ＦＥＴ３０１のゲートＧの電圧が、ソースＳの電圧よりも高くなり、ＦＥＴ３０１がＯＦＦの状態となる。従って、この状態では、電気的には、出力中継回路３００ＡにＦＥＴ３０１が無いのと同じとなり、定電圧化された４００Ｖの出力電圧が、出力端子Ａから抵抗Ｒ４から抵抗Ｒ５を通じて、現像ローラ４に供給される。この抵抗Ｒ５は、定常時においては現像ローラ４と感光体８との間のインピーダンスに比べ、非常に小さい１０ＫΩであるので、上記状態では図２と図８とが同じ回路になる考えて差し支え無い。
一方、上記感光体８の表面電位が４００Ｖを越えて、例えば１０００Ｖとなった場合には、感光体８の表面電位の１０００Ｖが、現像ローラ４を通じて、ＦＥＴ３０１のソースＳに印加される。これにより、ＦＥＴ３０１のゲートＧの電圧が４００Ｖ、ソースＳの電圧が１０００Ｖとなり、ゲート電圧が相対的に低くなってＦＥＴ３０１がＯＮの状態となる。ＦＥＴ３０１のＯＮ状態での抵抗は数オーム以下と小さく、ＦＥＴ３０１は大きなドレイン電流を流すことができる。これにより、感光体８の表面の大きな電荷が、感光体８、現像ローラ４、ＦＥＴ３０１のソースＳ、ドレインＤ、４７０Ωの抵抗Ｒ６を経て、グランドＧＮＤへと流れる。このように、感光体８の表面の大きな電荷を、ＦＥＴ３０１をＯＮしてグランドＧＮＤに流すことで、高圧電源装置３００の出力電圧が急激に４００Ｖに向かって減少するようになる。ここで、上記４７０Ωの抵抗Ｒ６は、絶対に必要なものではなく、ＦＥＴ３０１がショートした場合に焼けることで、ＦＥＴ３０１に電流が流れつづけるのを防止するヒューズの役目をしている。
【００２１】
（実施形態２）
実施形態２に係る高圧電源装置は、上記高圧電源装置１００の構成に加えて、以下の特徴を有する。図３に、本実施形態２に係る高圧電源装置４００の構成を示す。実施形態１に係る高圧電源装置３００は、その出力中継回路３００ＡにＦＥＴ３０１を用いている。このＦＥＴ３０１は、バイポーラ・トランジスタ（以下、単に「トランジスタ」という）に置き換えても、同様の効果を得ることができる。この高圧電源装置４００は、その出力中継回路４００Ａに、ＦＥＴ３０１と同様な機能を有するトランジスタ４０１を設けたものである。なお、この高圧電源装置４００の出力中継回路４００Ａの動作は、実施形態１に係る高圧電源装置３００の出力中継回路３００Ａの場合と同様であるので、その説明は省略する。
【００２２】
（実施形態３）
実施形態３に係る高圧電源装置は、上記高圧電源装置２００の構成に加えて、以下の特徴を有する。図４に、本実施形態３に係る高圧電源装置５００の構成を示す。この高圧電源装置５００は、その出力中継回路５００Ａを、上記高圧電源装置２００に付加したものである。この制御装置５００Ａは、ＦＥＴ５０１を有している。このＦＥＴ５０１には、ＰチャンネルＭＯＳ−ＦＥＴを使用している。つまり、この高圧電源装置５００は、その出力端子Ａに接続された現像ローラ４に対して、（−）極性の現像バイアスを印加するように構成されている。この現像ローラ４への（−）極性の現像バイアスの印加により、感光体８の表面に形成された静電潜像が、現像ローラ４の表面に担持されて搬送される（＋）極性のトナーにより現像される。なお、この高圧電源装置５００の出力中継回路５００Ａの動作は、上記高圧電源装置３００の出力中継回路３００Ａの場合と同様であるので、その説明は省略する。
【００２３】
（実施形態４）
実施形態４に係る高圧電源装置は、上記高圧電源装置２００の構成に加えて、以下の特徴を有する。図５に、本実施形態４に係る高圧電源装置６００の構成を示す。実施形態３に係る高圧電源装置５００は、その出力中継回路５００ＡにＦＥＴ５０１を用いているが、このＦＥＴ５０１をトランジスタに置き換えても、同様の効果を得ることができる。この高圧電源装置６００は、その出力中継回路６００Ａに、上記ＦＥＴ５０１と同様な機能を有するトランジスタ６０１を設けたものである。なお、この高圧電源装置６００の出力中継回路６００Ａの動作は、実施形態３に係る高圧電源装置５００の出力中継回路５００Ａの場合と同様であるので、その説明は省略する。
【００２４】
（実施形態５）
実施形態５に係る高圧電源装置は、上記高圧電源装置１００の構成に加えて、以下の特徴を有する。図６に、本実施形態５に係る高圧電源装置７００の構成を示す。この高圧電源装置７００は、その出力電圧と外部より印加された電圧とを、図８で述べたのと同様に、出力中継回路７００Ａに設けた抵抗Ｒ７，Ｒ８，Ｒ９，Ｒ１０で分圧する。この分圧した各電圧の電圧差を、コンパレータ７０２で検出する。そして、高圧電源装置７００の出力電圧よりも大きい電圧が外部より印可されたときに、コンパレータ７０２の出力を「Ｈ」にして、出力中継回路７００Ａに設けたＦＥＴ７０１をＯＮにする。ここでは、ＦＥＴ７０１として、ｎチャンネルＭＯＳ−ＦＥＴを使用している。ＦＥＴ７０１がＯＮすると、そのドレインＤとソースＳとの間の出力インピーダンスが低下し、大きな電圧が外部から印加された場合でも、高圧電源装置７００の出力電圧が一定の電圧に制御されるようになる。
【００２５】
（実施形態６）
実施形態６に係る高圧電源装置は、上記高圧電源装置１００の構成に加えて、以下の特徴を有する。図７に、本実施形態６に係る高圧電源装置８００の構成を示す。実施形態５に係る高圧電源装置７００は、その出力中継回路７００ＡにＦＥＴ７０１を用いているが、このＦＥＴ７０１をトランジスタに置き換えても、同様の効果を得ることができる。この高圧電源装置８００は、その出力中継回路８００Ａに、上記ＦＥＴ７０１と同様な機能を有するトランジスタ８０１を設けたものである。なお、この高圧電源装置８００の出力中継回路８００Ａの動作は、実施形態５に係る高圧電源装置７００の出力中継回路７００Ａの場合と同様であるので、その説明は省略する。
【００２６】
上述のように、上記各実施形態に係る高圧電源装置３００、４００、５００、６００、７００、８００においては、電圧出力対象部材としての現像ローラ４に出力電圧よりも大きな電圧が外部から印加された場合でも、出力電圧が一定の電圧に制御されるようになる。
また、上記各実施形態に係る高圧電源装置を搭載した現像装置においては、その現像ローラ４に現像バイアスを印加することにより、感光体８上に形成される画像のカブリによる画質の低下を無くすことができるようになる。
さらに、このような現像装置２を搭載した画像形成装置においては、カブリのない高画質の画像を出力することができるようになる。
【００２７】
【発明の効果】
本発明によれば、出力電圧よりも大きな外部電圧が印加されても、所定の一定した電圧を安定して出力することができるという優れた効果がある。
【図面の簡単な説明】
【図１】本発明が適用される高圧電源装置を搭載した画像形成装置の概略構成図。
【図２】本発明の実施形態１に係る高圧電源装置の回路図。
【図３】本発明の実施形態２に係る高圧電源装置の回路図。
【図４】本発明の実施形態３に係る高圧電源装置の回路図。
【図５】本発明の実施形態４に係る高圧電源装置の回路図。
【図６】本発明の実施形態５に係る高圧電源装置の回路図。
【図７】本発明の実施形態５に係る高圧電源装置の回路図。
【図８】従来の高圧電源装置の一例を示す回路図。
【図９】従来の高圧電源装置の他の例を示す回路図。
【符号の説明】
１　　　液体現像剤
２　　　現像ユニット
３　　　現像液タンク
４　　　現像ローラ
５　　　塗布ローラ
８　　　感光体
９　　　帯電ローラ
１０　　露光装置
１１　　現像ローラクリーニングブレード
１２　　給紙カセット
１３　　転写紙
１４　　給紙ローラ
１５　　分離ローラ
１６　　転写ローラ
１７　　定着装置
２０　　感光体クリーニングブレード
１００、２００　　　従来の高圧電源装置
３００　　　実施形態１に係る高圧電源装置
３００Ａ　　実施形態１に係る高圧電源装置の出力中継回路
３０１　　　ＦＥＴ
４００　　　実施形態２に係る高圧電源装置
４００Ａ　　実施形態２に係る高圧電源装置の出力中継回路
４０１　　　トランジスタ
５００　　　実施形態３に係る高圧電源装置
５００Ａ　　実施形態３に係る高圧電源装置の出力中継回路
５０１　　　ＦＥＴ
６００　　　実施形態４に係る高圧電源装置
６００Ａ　　実施形態４に係る高圧電源装置の出力中継回路
６０１　　　トランジスタ
７００　　　実施形態５に係る高圧電源装置
７００Ａ　　実施形態５に係る高圧電源装置の出力中継回路
７０１　　　ＦＥＴ
７０２　　　コンパレータ
８００　　　実施形態６に係る高圧電源装置
８００Ａ　　実施形態６に係る高圧電源装置の出力中継回路
８０１　　　トランジスタ
８０２　　　コンパレータ
【図１】
2004038098.tif 000003
【図２】
2004038098.tif 000004
【図３】
2004038098.tif 000005
【図４】
2004038098.tif 000006
【図５】
2004038098.tif 000007
【図６】
2004038098.tif 000008
【図７】
2004038098.tif 000009
【図８】
2004038098.tif 000010
【図９】
2004038098.tif 000011